(57)【要約】【課題】洗い場床上面の略全体にクッション層を積層することで洗い場床に柔らかさを付与した場合であっても、経時的に壁パネルの位置が変わることがない浴室用洗い場床を提供する。【解決手段】硬質の基材と、前記基材の上面に積層され、鉛直方向に弾性変形可能なクッション層と、を備え、前記クッション層は、壁パネルが載置される壁載部と、前記壁載部より内方側の洗い場に面する洗い場床部と、を有しており、前記クッション層の前記壁載部は、前記洗い場床部より薄肉に形成されていることを特徴とする。【選択図】図２
2010112056.tif 000002
【特許請求の範囲】
【請求項１】
硬質の基材と、
前記基材の上面に積層され、鉛直方向に弾性変形可能なクッション層と、を備え、
前記クッション層は、
壁パネルが載置される壁載部と、
前記壁載部より内方側の洗い場に面する洗い場床部と、を有しており、
前記クッション層の前記壁載部は、前記洗い場床部より薄肉に形成されていることを特徴とする浴室用洗い場床。
【請求項２】
前記壁載部は、圧縮されることで薄肉に形成されていることを特徴とする請求項１記載の浴室用洗い場床。
【請求項３】
前記クッション層における前記壁載部の底面と、前記洗い場床部の底面とは面一に形成されており、
前記壁載部の上面は、前記洗い場床部の上面より低い位置に形成されていることを特徴とする請求項１または２記載の浴室用洗い場床。
【請求項４】
前記壁載部および前記洗い場床部に対して、それぞれ上方から同荷重を加えた際の鉛直方向の撓み量は、前記壁載部の方が小さくなることを特徴とする請求項１〜３のいずれか１項に記載の浴室用洗い場床。
【発明の詳細な説明】
【技術分野】
【０００１】
本発明は、ユニットバスの一部として組み込まれる浴室用洗い場床に関する。
【背景技術】
【０００２】
従来より、浴室の洗い場床にクッション性を付与する構造が提案されている。例えば、特許文献１には、ＦＲＰ（Fiber Reinforced Plastic）からなる基材と、発泡層と、軟質材からなる表面層とを順に積層し一体化した浴室用洗い場床が開示されている。
【特許文献１】特開２００１−２４５８１４号公報
【発明の開示】
【発明が解決しようとする課題】
【０００３】
一般的に、ユニットバスの壁面を構成する壁パネルは、洗い場床上の周縁部に載置されている。しかしながら、クッション性を持たせるためのクッション層の上に壁パネルを載置すると、壁パネルが経時的に下方に落ちるなどして、壁パネル間に隙間が生じる等の問題が生じるおそれがある。
【０００４】
このような背景から、洗い場床の壁載せ部内方側にだけクッション層が位置するように製造することが考えられるが、その場合は、クッション層の寸法を正確に出す必要があるといった問題や、製法が限定されるといった問題があった。
【０００５】
本発明は上述した課題に鑑み、洗い場床上面の略全体にクッション層を積層することで洗い場床に柔らかさを付与した場合であっても、経時的に壁パネルの位置が変わることがない浴室用洗い場床を提供することを目的とする。
【課題を解決するための手段】
【０００６】
本発明の一態様によれば、硬質の基材と、前記基材の上面に積層され、鉛直方向に弾性変形可能なクッション層と、を備え、前記クッション層は、壁パネルが載置される壁載部と、前記壁載部より内方側の洗い場に面する洗い場床部と、を有しており、前記クッション層の前記壁載部は、前記洗い場床部より薄肉に形成されていることを特徴とする浴室用洗い場床を提供する。
【発明の効果】
【０００７】
本発明によれば、洗い場床上面の略全体にクッション層を積層することで洗い場床に柔らかさを付与した場合であっても、経時的に壁パネルの位置が変わることがない浴室用洗い場床を提供することができる。
【発明を実施するための最良の形態】
【０００８】
本発明における第１の発明は、硬質の基材１０と、基材１０の上面に積層され、鉛直方向に弾性変形可能なクッション層２０と、を備え、クッション層２０は、壁パネル８０が載置される壁載部２２と、壁載部２２より内方側の洗い場に面する洗い場床部２１と、を有しており、クッション層２０の壁載部２２は、洗い場床部２１より薄肉に形成されていることを特徴とする浴室用洗い場床１である。
【０００９】
第１の発明によって、入浴者の足が触れる洗い場床部２１は厚みが大きいため柔らかく、壁パネル８０が載置される壁載部２２は厚みが小さいため、壁パネル８０設置前の状態から壁パネル８０設置後の長期使用においても、鉛直方向の変形量が少ない浴室用洗い場床１を提供できる。特に、洗い場床１全体にクッション層２０を積層することができるため、製法上の制約を減らすことができる。
【００１０】
本発明における第２の発明は、壁載部２２は、圧縮されることで薄肉に形成されていることを特徴とする浴室用洗い場床１である。
【００１１】
第２の発明によって、厚みが略一定の状態で形成されたクッション層２０を、壁載部２２だけに加熱加圧成形などをすることで実現できるため、製造コストをさらに低下させることができる。
【００１２】
本発明における第３の発明は、クッション層２０における壁載部２２の底面と、洗い場床部２１の底面とは面一に形成されており、壁載部２２の上面は、洗い場床部２１の上面より低い位置に形成されていることを特徴とする浴室用洗い場床１である。
【００１３】
第３の発明によって、壁パネル８０を設置した状態において、洗い場床部２１の上面が壁パネル８０に引き込まれることがないため、洗い場床部２１の端部と壁パネル８０前面との間に水が溜まりにくくなった。
【００１４】
本発明における第４の発明は、壁載部２２および洗い場床部２１に対して、それぞれ上方から同荷重を加えた際の鉛直方向の撓み量は、壁載部２２の方が小さくなることを特徴とする浴室用洗い場床１である。
【００１５】
第４の発明によって、入浴者の足が触れる洗い場床部２１は厚みが大きいため柔らかく、壁パネル８０が載置される壁載部２２は厚みが小さいため、壁パネル８０設置前の状態から壁パネル８０設置後の長期使用においても、鉛直方向の変形量が少ない浴室用洗い場床１を提供できる。
【００１６】
以下、本発明の実施形態について、図面を用いて説明する。
図１はユニットバスの分解図である。ユニットバスは、洗い場床１と、洗い場床１に隣接して配置された浴槽２と、洗い場床１と浴槽２との間の開口を掩蔽するバスエプロン（図示なし）と、洗い場床１の浴槽２側を除く３辺と浴槽２の洗い場床１側を除く３辺に形成された壁載部２２に載置される壁パネル８０と、壁パネル８０の上部に取り付けられる天井パネル７と、によって水密的且つ気密的な空間が構成されている。
【００１７】
図２、図３に示すように、本実施形態における浴室用洗い場床１は、基材１０と、クッション層２０とからなる２層構造で構成されている。基材１０は、上面が平面状に形成された平面部１１と、平面部１１の端部において上方に立ち上がり形成された水返し部１２とを備えており、平面部１１と水返し部１２は一体形成されている。また、基材１０は、浴室外に湯水を漏出させない防水性、および壁パネル８０、天井パネル７、風呂椅子、洗面器などの静荷重、使用者の動荷重を受けても撓んだり破損しない十分な強度を有する硬質材料から形成されている。例えば、ＦＲＰ（Fiber Reinforced Plastic）等の熱硬化性樹脂、あるいはポリプロピレン、ポリエチレン等の熱可塑性樹脂に補強を施したものから形成されている。
【００１８】
クッション層２０は、弾性変形可能なゴム材で形成されており、基材１０における水返し部１２内方側の平面部１１上の略全面に積層されている。クッション層２０は、室内側の表面にやや硬質に形成されたスキン層となっており、スキン層によって、耐水性、耐薬品性、耐摩耗性、耐衝撃性など、洗い場床表面に要求される基本性能（耐久性）を満足している。
【００１９】
クッション層２０は、例えば、基材１０とともに一体成形して製造することが製造効率上、好ましい。この場合、基材１０の少なくとも平面部１１上の略全面にクッション層２０が積層された状態で製造されることとなる。また、クッション層２０の洗い場床部２１は、洗い場床部２１に水が溜まらないように排水口に向かう排水勾配が形成され、クッション層２０の壁載部２２は、経時的に壁パネルの位置が変わることがないように、洗い場床部２１より薄肉であり、略水平になるように形成されると好ましい。
【００２０】
そこで本発明では、クッション層２０上に壁パネル８０が載置される部分（壁載部２２）のみを加熱加圧成形するなどして、充分に圧縮させ、厚みが薄くなるようにしている。一方、加熱加圧成形していない壁パネル８０が載置されない洗い場床部２１は、厚みが厚いままであるため、十分なクッション性を有している。このように本発明は、クッション層２０の壁載部２２を薄肉にし、洗い場床部２１を厚肉にすることで洗い場床１上面の略全体にクッション層２０を積層することで洗い場床１に柔らかさを付与した場合であっても、経時的に壁パネル８０の位置が変わることがない浴室用洗い場床１を実現している。
【００２１】
図４に本発明の課題を説明するための比較例を示す。図４に示す洗い場床１０１は基材１１０上の平面部上の略全面に厚みが一定のクッション層１２０が積層されたものである。この場合、クッション性を有する部分の上に壁パネル８０が載置されることになるため、経時的に壁パネル８０が載置された部分のクッション層１２０が圧縮し、壁パネル８０が下方に落ちるおそれがある。壁パネル８０は水密的且つ気密的なユニットバス空間を形成するための構造体の一部であるため、壁パネル８０の位置が経時的に落ちることは内寸が変化することに繋がってしまうとともに、隙間が発生する要因ともなるため水密性、気密性にも影響が出るおそれがある。また、壁パネル８０が載置される部分の近傍のクッション層１２０の上面も、壁パネル８０の落下によって引き込まれるため、洗い場床１０１の排水勾配と逆らう方向に勾配が発生してしまうおそれもある。この場合には、壁パネル８０が載置される部分に残水が発生するおそれがあるため好ましくない。
【００２２】
それに対して、本発明によれば、壁パネル８０が載置されていない状態において、予め壁載部２２の厚みを薄くしているため、クッション層２０の壁載部２２は壁パネル８０の設置前後において、上下方向の変形量が極めて小さくなる。つまり、壁パネル８０の位置は固定されている。このことにより、洗い場床１上面の略全体にクッション層２０を積層することで洗い場床１に柔らかさを付与した場合であっても、経時的に壁パネル８０の位置が変わることがない浴室用洗い場床１を提供することが可能となった。
【００２３】
また、クッション層２０の発泡倍率を高めることで、さらにクッション性を高めることができ、クッション性が高いクッション層２０を用いた場合には、壁パネル８０前面と、クッション層２０の洗い場床部２１周縁部との間のシールも兼ねることが可能となる。
【００２４】
また、クッション層２０の端部を、水返し部１２の立ち面の上端まで延在するように積層することで、クッション層２０と基材１０との間に水が侵入することを防止できる。基材１０とクッション層２０との間に水が浸入することがなくなると、クッション層２０が濡れてクッション性が悪化したり、カビが発生するおそれがなくなるという利点もある。
【図面の簡単な説明】
【００２５】
【図１】本発明におけるユニットバスの分解図。
【図２】本発明に係る浴室用洗い場床の壁設置前の状態を示した断面図。
【図３】本発明に係る浴室用洗い場床の壁設置後の状態を示した断面図。
【図４】比較例としての浴室用洗い場床の断面図。
【符号の説明】
【００２６】
１…洗い場床、２…浴槽、７…天井パネル、８…ドア、１０…基材、１１平面部、１２…水返し部、２０…クッション層、２１…洗い場床部、２２…壁載部、８０…壁パネル、
【図１】
2010112056.tif 000003
【図２】
2010112056.tif 000004
【図３】
2010112056.tif 000005
【図４】
2010112056.tif 000006